(57)【要約】【課題】  プログラム登録された設定内容に変更や追加があった場合でも、設定情報のプログラム登録を再度行う必要がなく、しかも画像形成装置の設定を使用の都度手入力で行う必要のない画像形成システム等を提供する。【解決手段】  画像形成装置１と携帯端末２とを備えたシステムである。前記画像形成装置１は、ジョブの実行に関する設定情報を画像データに変換する変換手段１１０と、変換された画像データを画像として出力する出力手段１０４ｂを備えている。前記携帯端末２は、前記出力された画像を撮影する撮影手段２１と、撮影した画像データを保存する記憶手段２３と、保存された画像データまたはこの画像データで示される設定情報を出力可能な出力手段２７、２９を備えている。【選択図】    図５
2007036404.tif 000002
【特許請求の範囲】
【請求項１】
画像形成装置と携帯端末とを備え、
前記画像形成装置は、
ジョブの実行に関する設定情報を画像データに変換する変換手段と、
変換された画像データを出力する出力手段と、
を備え、
前記携帯端末は、前記出力された画像データを撮影する撮影手段と、
撮影した画像データを保存する記憶手段と、
保存された画像データまたはこの画像データで示される設定情報を出力可能な出力手段と、
を備えたことを特徴とする画像形成システム。
【請求項２】
前記画像形成装置の出力手段は、画像データを表示する表示手段または画像データを用紙にプリントするプリント手段である請求項１に記載の画像形成システム。
【請求項３】
前記携帯端末の出力手段は、画像データを表示する表示手段または画像データに含まれる設定情報を送信可能な送信手段である請求項１に記載の画像形成システム。
【請求項４】
前記画像データには、ユーザの認証情報が含まれている請求項１に記載の画像形成システム。
【請求項５】
前記画像データには、携帯端末で保存された画像データに含まれる設定情報を送信するためのアプリケーションソフトの格納先のアドレス情報が含まれている請求項１に記載の画像形成システム。
【請求項６】
前記画像データは暗号化されている請求項１に記載の画像形成システム。
【請求項７】
暗号化のための秘密鍵、公開鍵は携帯端末で作成され、携帯端末は、作成した公開鍵を含むデータを画像データに変換して出力する請求項１に記載の画像形成システム。
【請求項８】
画像データはＱＲコードである請求項１に記載の画像形成システム。
【請求項９】
ジョブの実行に関する設定情報を画像データに変換する変換手段と、
変換された画像データを出力する出力手段と、
を備えたことを特徴とする画像形成装置。
【請求項１０】
前記出力手段は、画像データを表示する表示手段または画像データを用紙にプリントするプリント手段である請求項９に記載の画像形成装置。
【請求項１１】
前記画像データには、ユーザの認証情報が含まれている請求項９に記載の画像形成装置。
【請求項１２】
前記画像データには、携帯端末で保存された画像データに含まれる設定情報を送信するためのアプリケーションソフトの格納先のアドレス情報が含まれている請求項９に記載の画像形成装置。
【請求項１３】
前記画像データは暗号化されている請求項９に記載の画像形成装置。
【請求項１４】
画像データはＱＲコードである請求項９に記載の画像形成装置。
【請求項１５】
ジョブの実行に関する設定情報が含まれるとともに、携帯端末から出力された画像データを読み取る読み取り手段と、
読み取られた画像データを解析して設定情報を抽出する解析手段と、
抽出された設定情報でジョブを実行するジョブ実行手段と、
を備えたことを特徴とする画像形成装置。
【請求項１６】
前記画像データにはユーザの認証情報が含まれており、
この認証情報に基づいて、ユーザ認証を行うユーザ認証手段を備えている請求項１５に記載の画像形成装置。
【請求項１７】
前記画像データは暗号化されている請求項１５に記載の画像形成装置。
【請求項１８】
画像データはＱＲコードである請求項１５に記載の画像形成装置。
【請求項１９】
ジョブの実行に関する設定情報を画像データに変換するステップと、
変換された画像データを出力するステップと、
前記出力された画像データを携帯端末により撮影するステップと、
撮影した画像データを保存するステップと、
保存された画像データまたはこの画像データで示される設定情報を出力するステップと、
前記出力された画像データまたは設定情報を受領するステップと、
受領した画像データを解析して抽出された設定情報、または前記受領した設定情報でジョブを実行するステップと、
を含む画像形成装置におけるデータ処理方法。
【発明の詳細な説明】
【技術分野】
【０００１】
本発明は、例えば携帯電話等の携帯端末と画像形成装置とを備えた画像形成システム、及びこのシステムに用いられる画像形成装置、並びに画像形成装置におけるデータ処理方法に関する。
【背景技術】
【０００２】
画像形成装置でジョブを実行する場合、ユーザは各種の設定を行う必要があるが、デジタル複合機（ＭＦＰ：Multi Function Peripherals)のように使用可能な機能が多くなるのに伴い、設定内容も複雑になってきている。
【０００３】
従来、このようなジョブの設定を事前に登録しておく機能として、プログラム登録機能が搭載された画像形成装置が知られている（例えば特許文献１）。
【特許文献１】特開平１１−３３８３１３号公報
【発明の開示】
【発明が解決しようとする課題】
【０００４】
しかし、上記のようなプログラム登録機能により設定情報を保存していたとしても、実際にジョブを実行する際に、設定内容を変更したり追加することもあり、このような変更や追加を再度登録するのは面倒であった。
【０００５】
しかも、出先や店舗等に設置された画像形成装置を利用する場合には、設定情報をプログラム登録しておくことは実際上困難であり、従って、この場合には画像形成装置の設定を使用の都度手入力により行わなければならず、操作性がよくなかった。
【０００６】
この発明は、このような事情に鑑みてなされたものであって、プログラム登録された設定内容に変更や追加があった場合でも、設定情報のプログラム登録を再度行う必要がなく、しかも画像形成装置の設定を使用の都度手入力で行う必要のない画像形成システム、及びこのシステムに用いられる画像形成装置、並びに画像形成装置におけるデータ処理方法の提供を課題とする。
【課題を解決するための手段】
【０００７】
前記課題は以下の手段によって解決される。
（１）画像形成装置と携帯端末とを備え、前記画像形成装置は、ジョブの実行に関する設定情報を画像データに変換する変換手段と、変換された画像データを出力する出力手段と、を備え、前記携帯端末は、前記出力された画像データを撮影する撮影手段と、撮影した画像データを保存する記憶手段と、保存された画像データまたはこの画像データで示される設定情報を出力可能な出力手段と、を備えたことを特徴とする画像形成システム。
（２）前記画像形成装置の出力手段は、画像データを表示する表示手段または画像データを用紙にプリントするプリント手段である前項１に記載の画像形成システム。
（３）前記携帯端末の出力手段は、画像データを表示する表示手段または画像データに含まれる設定情報を送信可能な送信手段である前項１に記載の画像形成システム。
（４）前記画像データには、ユーザの認証情報が含まれている前項１に記載の画像形成システム。
（５）前記画像データには、携帯端末で保存された画像データに含まれる設定情報を送信するためのアプリケーションソフトの格納先のアドレス情報が含まれている前項１に記載の画像形成システム。
（６）前記画像データは暗号化されている前項１に記載の画像形成システム。
（７）暗号化のための秘密鍵、公開鍵は携帯端末で作成され、携帯端末は、作成した公開鍵を含むデータを画像データに変換して出力する前項１に記載の画像形成システム。
（８）画像データはＱＲコードである前項１に記載の画像形成システム。
（９）ジョブの実行に関する設定情報を画像データに変換する変換手段と、変換された画像データを出力する出力手段と、を備えたことを特徴とする画像形成装置。
（１０）前記出力手段は、画像データを表示する表示手段または画像データを用紙にプリントするプリント手段である前項９に記載の画像形成装置。
（１１）前記画像データには、ユーザの認証情報が含まれている前項９に記載の画像形成装置。
（１２）前記画像データには、携帯端末で保存された画像データに含まれる設定情報を送信するためのアプリケーションソフトの格納先のアドレス情報が含まれている前項９に記載の画像形成装置。
（１３）前記画像データは暗号化されている前項９に記載の画像形成装置。
（１４）画像データはＱＲコードである前項９に記載の画像形成装置。
（１５）ジョブの実行に関する設定情報が含まれるとともに、携帯端末から出力された画像データを読み取る読み取り手段と、読み取られた画像データを解析して設定情報を抽出する解析手段と、抽出された設定情報でジョブを実行するジョブ実行手段と、を備えたことを特徴とする画像形成装置。
（１６）前記画像データにはユーザの認証情報が含まれており、この認証情報に基づいて、ユーザ認証を行うユーザ認証手段を備えている前項１５に記載の画像形成装置。
（１７）前記画像データは暗号化されている前項１５に記載の画像形成装置。
（１８）画像データはＱＲコードである前項１５に記載の画像形成装置。
（１９）ジョブの実行に関する設定情報を画像データに変換するステップと、変換された画像データを出力するステップと、前記出力された画像データを携帯端末により撮影するステップと、撮影した画像データを保存するステップと、保存された画像データまたはこの画像データで示される設定情報を出力するステップと、前記出力された画像データまたは設定情報を受領するステップと、受領した画像データを解析して抽出された設定情報、または前記受領した設定情報でジョブを実行するステップと、を含む画像形成装置におけるデータ処理方法。
【発明の効果】
【０００８】
前項（１）に記載の発明によれば、画像形成装置は、ジョブの終了後、ジョブの実行に関する設定情報を画像データに変換し、変換された画像データを出力する。携帯端末は、出力された画像を撮影手段により撮影して保存し、保存された画像データまたはこの画像データで示される設定情報を出力可能となされている。
【０００９】
このように、画像形成装置から出力された画像データを携帯端末で撮影することにより、ユーザがジョブの実行に際して画像形成装置で設定した設定情報を、携帯端末に受け渡すことができるから、この受け渡された設定情報を利用することにより、予めプログラム登録された設定内容に変更や追加があった時でも、新たなプログラム登録は不要であるし、画像形成装置の設定を使用の都度手入力で行う必要もなくなる。
【００１０】
しかも、携帯端末を保有していれば、使用地域や使用場所に制限を受けることなく、携帯端末に保存された設定情報を利用することができる。
【００１１】
前項（２）に記載の発明によれば、画像形成装置の出力手段は、画像データを表示する表示手段または画像データの画像を用紙にプリントするプリント手段であるから、携帯端末による画像データの撮影を容易に行うことができる。
【００１２】
前項（３）に記載の発明によれば、携帯端末の出力手段は、画像データを表示する表示手段または画像データで示される設定情報を送信可能な送信手段であるから、携帯端末に保存した設定情報の利用が容易になる。
【００１３】
前項（４）に記載の発明によれば、画像データには、ユーザの認証情報が含まれているから、この画像データを用いて画像形成装置で次回のジョブを実行させる場合には、ユーザによる認証情報の新たな入力は不要となる。
【００１４】
前項（５）に記載の発明によれば、画像データには、携帯端末で保存された画像データに含まれる設定情報を送信するためのアプリケーションソフトの格納先のアドレス情報が含まれているから、画像を撮影した携帯端末は、このアドレスにアクセスしてアプリケーションソフトを入手でき、設定情報を画像形成装置などに送信することができる。
【００１５】
前項（６）に記載の発明によれば、前記画像データは暗号化されているから、設定情報のセキュリティを確保することができる。
【００１６】
前項（７）に記載の発明によれば、画像データを介して公開鍵の送受が可能となる。
【００１７】
前項（８）に記載の発明によれば、ＱＲコードを介して画像形成装置の設定情報を携帯端末に受け渡すことができる。
【００１８】
前項（９）に記載の発明によれば、ジョブの実行に関する設定情報を画像データに変換する変換手段と、変換された画像データを画像として出力する出力手段とを備えているから、出力された画像データを携帯端末により撮影することにより、画像形成装置の設定情報を携帯端末に受け渡して保存させることができ、ひいてはこの設定情報を利用することができる。
【００１９】
前項（１０）に記載の発明によれば、携帯端末による画像の撮影を容易に行うことができる。
【００２０】
前項（１１）に記載の発明によれば、画像データを用いて画像形成装置で次回のジョブを実行させる場合には、ユーザによる認証情報の新たな入力は不要となる。
【００２１】
前項（１２）に記載の発明によれば、画像を撮影した携帯端末は、このアドレスにアクセスしてアプリケーションソフトを入手でき、設定情報を画像形成装置などに送信することができる。
【００２２】
前項（１３）に記載の発明によれば、設定情報のセキュリティを確保することができる。
【００２３】
前項（１４）に記載の発明によれば、ＱＲコードを介して画像形成装置の設定情報を携帯端末に受け渡すことができる。
【００２４】
前項（１５）に記載の発明によれば、携帯端末から出力された画像データを読み取って、それに含まれる設定情報を抽出してジョブを実行することができる画像形成装置となし得る。
【００２５】
前項（１６）に記載の発明によれば、画像データに含まれる認証情報を利用して認証を行うことができる。
【００２６】
前項（１７）に記載の発明によれば、設定情報のセキュリティを確保することができる。
【００２７】
前項（１８）に記載の発明によれば、携帯端末からＱＲコードを読み取ってジョブを実行することができる画像形成装置となしうる。
【００２８】
前項（１９）に記載の発明によれば、出力された画像データを携帯端末により撮影することにより、画像形成装置の設定情報を、携帯端末に受け渡して保存させることができる。また、保存した設定情報を画像形成装置に受け渡して、画像形成装置にジョブを実行させることができる。
【発明を実施するための最良の形態】
【００２９】
以下、この発明の一実施形態を図面に基づいて説明する。
【００３０】
図１は、この発明の一実施形態に係る画像形成システムの構成図である。
【００３１】
この画像形成システムは、画像形成装置１と携帯端末２とを備えている。
【００３２】
前記画像形成装置１は、この実施形態ではプリンタ機能、コピー機能、ファクシミリ機能、スキャナ機能を有するデジタル複合機であるＭＦＰ（Multi Function Peripherals）が用いられている。
【００３３】
画像形成装置１の要部の機能的な構成を図２に示す。この画像形成装置１は、スキャナ部１０１、プリンタ部１０２、ファクシミリ部（ＦＡＸ部という）１０３、操作パネル１０４、制御部１０５、記憶部１０６、ネットワークインターフェイス部（図面ではインターフェイスをＩ／Ｆと記す）１０７、赤外線通信部１０８、認証部１０９、データ変換部１１０、データ解析部１１１、ＱＲコードリーダ１１２等を備えている。
【００３４】
前記スキャナ部１０１は、原稿を読み取って画像データに変換するものである。
【００３５】
前記プリンタ部１０２は、スキャナ部１０１で読み取った原稿の画像データ、外部装置から送信されてきたプリントデータ、記憶部１０６に保存されている画像データ等をプリントする。
【００３６】
前記ＦＡＸ部１０３は、スキャナ部１０１で読み取った画像データや、記憶部１０６に保存されている画像データをファクシミリ送信し、あるいは外部装置から送信されてきた画像データをファクシミリ受信するものである。
【００３７】
前記操作パネル１０４は、テンキー、スタートキー等のキー入力部１０４ａと、液晶等からなるタッチパネル式の表示部１０４ｂを備え、ユーザが各種の入力を行ったり、装置の状態や操作用画面等が表示されるものである。この実施形態では、後述するように、ジョブ実行に際してユーザが行った設定情報が画像データとしてのＱＲコードに変換され、この変換されたＱＲコードが表示部１０４ｂに表示されるものとなされている。
【００３８】
制御部１０５は、画像形成装置１の全体を統括的に制御したり、各種の判断を行うものであり、ＣＰＵやＲＯＭ、ＲＡＭ等のメモリを備えている。このメモリには、ＣＰＵの動作用プログラムが書き込まれていると共に、ジョブ実行に際してユーザが行った設定情報が一時的に記憶される。
【００３９】
記憶部１０６は、例えばハードディスクからなり、画像データやユーザ認証を行うための認証情報が記憶されている。
【００４０】
ネットワークインターフェイス部１０７は、画像形成装置１と外部のパーソナルコンピュータ等との間でデータの送受信を行うためのものであり、赤外線通信部１０８は、携帯端末２との間で赤外線通信によるデータの送受信を行うためのものである。
【００４１】
前記認証部１０９は、操作パネル１０４からユーザにより入力される認証情報、または携帯端末から受け取ったＱＲコードに含まれる認証情報を、予め記憶部１０６に記憶されている認証情報と照合することにより、ユーザ認証を行う。
【００４２】
前記データ変換部１１０は、制御部１０５のメモリに記憶されているジョブ実行に際しての設定情報を、ＱＲコードに変換するものである。この場合、ユーザにより認証情報が入力されている場合には、その情報も含めてＱＲコードに変換する。また、携帯端末２から公開鍵が付与されている場合には、公開鍵により暗号化した状態で変換する。
【００４３】
データ解析部１１１は、携帯端末２から読み取ったＱＲコードを解析して、それに含まれるジョブの設定情報や認証情報等を抽出する。
【００４４】
ＱＲコードリーダ１１２は、携帯端末２に表示されたＱＲコードを読み取るものである。なお、ＱＲコードの読み取りは、スキャナ部１０１で行っても良い。
【００４５】
前記携帯端末２は、例えば携帯電話からなる。なお、携帯端末は携帯電話の他、ＰＤＡ（Personal Digital Assistance）やノートパソコン等であっても良い。
【００４６】
図３は、携帯端末２の要部の機能的な構成を示すブロック図である。
【００４７】
携帯端末２は、撮影部２１、操作部２２、記憶部２３，ネットワークインターフェイス部２４、データ生成・変換部２５、制御部２６、表示部２７、赤外線通信部２８、データ解析部２９等を備えている。
【００４８】
前記撮影部２１は、撮影カメラを備え、画像形成装置１の表示部１０４ｂに表示されたＱＲコードを撮影できるようになっている。
【００４９】
操作部２２は、ユーザが携帯端末２を操作するためのものであり、入力キー等を備えている。
【００５０】
記憶部２３は、画像形成装置１から読み取ったＱＲコードや、所定のアドレスからダウンロードしたアプリケーションソフトや、ＱＲコードの解析結果等を記憶する。
【００５１】
ネットワークインターフェイス部２４は、ネットワークを介して外部機器と通信を行う。
【００５２】
データ生成・変換部２５は、携帯端末２で入力した画像形成装置１の設定情報や認証情報等を画像形成装置１に受け渡す際に、暗号化のための公開鍵、秘密鍵を作成するとともに、前記設定情報、認証情報、公開鍵等をまとめてＱＲコードに変換するものである。
【００５３】
制御部２６は、携帯端末２の全体を統括的に制御したり、各種の判断を行うものであり、ＣＰＵやＲＯＭ、ＲＡＭ等のメモリを備えている。
【００５４】
表示部２７は、画像形成装置１に表示され撮影部２１により撮影されたＱＲコードや、データ生成・変換部２５で変換されたＱＲコードや、その他のデータを表示する。
【００５５】
データ解析部２８は、画像形成装置１に表示され撮影部２１により撮影されたＱＲコードを解析して、それに含まれる設定情報や認証情報等を抽出する。
【００５６】
赤外線通信部２９は、前記データ解析部２８で抽出された設定情報や認証情報等を利用して、画像形成装置１にジョブを実行させる場合に、画像形成装置１との間で赤外線通信を行うことにより、画像形成装置１に設定情報や認証情報等を送信する。
【００５７】
次に、図１に示したネットワーク画像形成システムの動作を、図５のフローチャートを用いて説明する。
【００５８】
ユーザは画像形成装置１の使用に際し、ステップＳ１１で、認証情報としてＩＤ及びパスワードを入力する。画像形成装置１では、前記入力された認証情報に基づいて認証が行われる。認証が成功すると画像形成装置１の使用が可能となり、ステップＳ１２で、モード、解像度、部数、カラーかモノクロか等のジョブの設定を行い、ジョブを実行する。
【００５９】
ジョブ実行後、画像形成装置１はステップＳ１３で、前記設定情報をＱＲコードに変換する。この際、ＱＲコードには、ＱＲコードに含まれる設定情報を赤外線通信により送信するためのリモコンアプリケーションソフトの格納先ＵＲＬ（Uniform Resource Locator）を含めておく。
【００６０】
ユーザが、操作パネル１０４の所定のスイッチを押すと、図４に示すように、操作パネル１０４の表示部１０４ｂにＱＲコード４が表示されたのち、ステップＳ１４でログアウトする。
【００６１】
一方、ユーザはステップＳ２１で、携帯端末２の撮影部２１のカメラを起動したのち、ステップＳ２２で、前記表示部１０４ｂに表示されたＱＲコード４を撮影し、ステップＳ２３で、撮影したＱＲコードを記憶部２３に保存する。
【００６２】
以降、前記ジョブを実行させた画像形成装置１あるいは異なる画像形成装置１でジョブを実行するときは、この保存したＱＲコードを利用する。
【００６３】
この際、ステップＳ２４で、携帯端末２内に、ＱＲコードに含まれる設定情報を赤外線通信により送信するためのリモコンアプリケーションソフトがあるかどうかを判断し、あれば（ステップＳ２４でＹＥＳ）、ステップＳ２７に進む。
【００６４】
リモコンアプリケーションソフトがなければ（ステップＳ２４でＮＯ）、ステップＳ２５で、ＱＲコードから、アプリケーションソフトの格納先ＵＲＬを抽出し、ステップＳ２６で前記ＵＲＬにアクセスして、リモコンアプリケーションソフトを取得したのち、ステップＳ２７に進む。
【００６５】
ステップＳ２７では、前記アプリケーションソフトを実行することにより、ＱＲコードに含まれていた設定情報を、赤外線通信部２９を介して画像形成装置１に送信して、携帯端末２側の処理を終了するが、送信の前に、画像形成装置１では、ステップＳ１５で、ユーザが画像形成装置１に認証情報を入力することにより、認証を行っておく必要がある。
【００６６】
認証が成功すると、画像形成装置の使用が可能となり、ステップＳ１６で、送信された設定情報を赤外線通信部１０８を介して受信したのち、ステップＳ１７で、受信した設定情報に従ってジョブを実行し、処理を終了する。前記受信した設定情報は、前回実行したジョブの設定情報と同じであるから、前回と同一のジョブが実行される。
【００６７】
このように、ジョブを実行した画像形成装置に表示されたＱＲコードを携帯端末２で撮影することにより、ＱＲコードを介してジョブの設定情報を携帯端末２に受け渡すとともに、以後、ジョブを実行する場合には、携帯端末２から前記設定情報を画像形成装置１に受け渡して、この設定情報に基づいてジョブを実行することができる。このため、設定情報を一旦携帯端末に保存しておけば、次回からのジョブの実行に際しては、ユーザが操作パネル１０４を用いた設定入力を行う必要はなくなる。
【００６８】
また、ジョブの実行に際して設定内容に変更や追加が生じても、ジョブの実行後に表示されるＱＲコードに、設定内容の変更や追加が反映されるから、これを携帯端末２で撮影し保存するだけで、次回以降のジョブの実行について設定内容の変更や追加を反映することができ、極めて便利である。
【００６９】
図６は、図１に示した画像形成システムの他の実施形態に係る動作を示すフローチャートである。
【００７０】
この実施形態では、画像形成装置１で変換されるＱＲコードの中に、設定情報のみならず認証情報も含まれた形態で、携帯端末２に受け渡され、次回以降のジョブの実行に際しては、携帯端末２から画像形成装置１へ設定情報と共に受け渡される認証情報を用いて、ユーザ認証を行うものである。
【００７１】
ユーザは画像形成装置１の使用に際し、ステップＳ３１で、認証情報としてＩＤ及びパスワードを入力すると、画像形成装置１では認証が行われる。認証が成功すると画像形成装置１の使用が可能となり、ステップＳ３２で、モード、解像度、部数、カラーかモノクロか等のジョブの設定を行い、ジョブを実行する。
【００７２】
ジョブ実行後、画像形成装置１はステップＳ３３で、前記設定情報及びユーザが入力した認証情報をＱＲコードに変換する。この際、ＱＲコードには、ＱＲコードに含まれる設定情報を赤外線通信により送信するためのリモコンアプリケーションソフトの格納先ＵＲＬを含めておく。
【００７３】
ユーザが、操作パネル１０４の所定のスイッチを押すと、図４に示すように、操作パネル１０４の表示部１０４ｂにＱＲコード４が表示されたのち、ステップＳ３４でログアウトする。
【００７４】
一方、ユーザはステップＳ４１で、携帯端末２の撮影部２１のカメラを起動したのち、ステップＳ４２で、前記表示部１０４ｂに表示されたＱＲコード４を撮影し、ステップＳ４３で、撮影したＱＲコードを記憶部２３に保存する。
【００７５】
以降、前記ジョブを実行させた画像形成装置１あるいは異なる画像形成装置１でジョブを実行するときは、この保存したＱＲコードを利用する。
【００７６】
この際、ステップＳ４４で、携帯端末２内に、ＱＲコードに含まれる設定情報を赤外線通信により送信するためのリモコンアプリケーションソフトがあるかどうかを判断し、あれば（ステップＳ４４でＹＥＳ）、ステップＳ４７に進む。
【００７７】
リモコンアプリケーションソフトがなければ（ステップＳ４４でＮＯ）、ステップＳ４５で、ＱＲコードから、アプリケーションソフトの格納先ＵＲＬを抽出し、ステップＳ４６で前記ＵＲＬにアクセスして、リモコンアプリケーションソフトを取得したのち、ステップＳ４７に進む。
【００７８】
ステップＳ４７では、前記アプリケーションソフトを実行することにより、ＱＲコードに含まれていた設定情報及び認証情報を、赤外線通信部２９を介して画像形成装置１に送信して、携帯端末２側の処理を終了する。
【００７９】
画像形成装置１では、ステップＳ３５で、送信された設定情報と認証情報を赤外線通信部１０８を介して受信したのち、ステップＳ３６で、受信した認証情報を用いてユーザ認証を行う。
【００８０】
認証が成功すると、ステップＳ３７で、受信した設定情報に従ってジョブを実行し、処理を終了する。前記受信した設定情報は、前回実行したジョブの設定情報と同じであるから、前回と同一のジョブが実行される。
【００８１】
このように、この実施形態では、ユーザが最初に入力した認証情報が、設定情報と共にＱＲコードに含まれ、次回からのジョブの実行の際に認証情報として利用されるから、ユーザはもはや操作パネルから認証情報を入力する必要はなくなる。
【００８２】
図７は、図１に示した画像形成システムの他の実施形態に係る動作を示すフローチャートである。
【００８３】
この実施形態では、認証情報及び設定情報を携帯端末２側で入力しておき、これらの情報と暗号化のための公開鍵をＱＲコードに変換して、画像形成装置１へ受け渡し、画像形成装置１側ではＱＲコードに含まれた前記認証情報によりユーザ認証を行うと共に、ジョブの実行後は公開鍵により設定情報を暗号化した状態で、ＱＲコードにより携帯端末２へ受け渡すものとなされている。
【００８４】
まず、携帯端末２は、ステップＳ６１で、認証情報の設定、ジョブの設定、暗号鍵の作成などを行うためのアプリケーションソフトを起動する。このアプリケーションソフトが携帯端末２内に存在しないときは、所定のアドレス先から取得する。
【００８５】
次に、ステップＳ６２で、携帯端末２内で公開鍵及び秘密鍵を生成する。鍵の元は、電話番号、携帯端末のシリアル番号、時間等を用いれば良く、容易に推測できないものから生成する。
【００８６】
次に、ステップＳ６３で、操作部２２を使用して、ＩＤ、パスワード等の認証情報や、設定情報を入力する。そして、ステップＳ６４で、ＱＲコードに変換し表示部２７に表示する。
【００８７】
携帯端末２に表示されたＱＲコードを、ステップＳ５１で、画像形成装置１に読み取らせる。読み取りは、ＱＲコードリーダ１１２で行っても良いし、スキャナ部１０１を利用しても良い。
【００８８】
次に、ステップＳ５２で、読み取ったＱＲコードに含まれる認証情報を利用してユーザ認証を行う。また、ＱＲコードに含まれる設定情報を利用してジョブの設定を行うが、必要に応じてステップＳ５３で設定値を変更したのち、ステップＳ５４でジョブを実行する。
【００８９】
次いで、ステップＳ５５で、設定情報を公開鍵で暗号化したうえでＱＲコードに変換し、ステップＳ５６で、変換したＱＲコードを操作パネル１０４の表示部１０４ｂに表示する。
【００９０】
ユーザはステップＳ６５で、携帯端末２の撮影部２１のカメラを起動したのち、ステップＳ６６で、前記表示部１０４ｂに表示されたＱＲコード４を撮影し、ステップＳ６７で、ＱＲコードを秘密鍵で複合化し、ステップＳ６８で記憶部２３に保存する。そして、保存したデータを、ステップＳ６９で、携帯電話のブラウザを用いて指定の宛先に送信したり、携帯端末２の表示部２７に、前記宛先のアドレス情報を示すＱＲコードを表示して別の画像形成装置１に読み取らせ、宛先から取得した保存データを印刷させる。
【００９１】
このように、この実施形態では、予め認証情報を携帯端末２で作成したＱＲコードに含ませているから、最初のジョブの実行に際しても、画像形成装置１でのユーザによる認証情報の入力は不要となり、使い勝手がよい。
【００９２】
しかも、画像形成装置１の設定情報は公開鍵により暗号化されたうえでＱＲコードに変換されるから、設定情報にデータの宛先やデータ保存先などの機密情報が含まれていても、これらの設定情報を他人に読み取られることがなく、高いセキュリティを確保しながら、設定情報の受け渡しが可能となる。
【００９３】
以上、本発明の一実施形態を説明したが、本発明は上記実施形態に限定されることはない。
【００９４】
例えば、図５及び図６の実施形態では、携帯端末２に保存した設定情報を、赤外線通信により画像形成装置１へ送信する場合を示したが、画像形成装置から受け取ったＱＲコードを、そのまま次回以降のジョブの実行に際して画像形成装置１に読み取らせるものとしても良い。
【００９５】
また、画像形成装置１の表示部１０４ｂにＱＲコードを表示させ、携帯端末２によりこれを撮影する構成としたが、ＱＲコードを画像形成装置１のプリンタ部１０２で用紙にプリントさせ、このプリントされたＱＲコードを携帯端末２で撮影する構成であっても良い。
【００９６】
また、設定情報や認証情報をＱＲコードに変換するものとしたが、ＰＤＦ４１７、Ｍａｘｉコード、Ｄａｔａｍａｔｒｉｘなど他の二次元コードに変換するものとしても良い。また、二次元コードではなく、画像として表示でき、読み取ることができるデータに変換すればよい。
【図面の簡単な説明】
【００９７】
【図１】この発明の一実施形態に係る画像形成システムの構成図である。
【図２】画像形成装置の要部の機能構成図である。
【図３】携帯端末の要部の機能構成図である。
【図４】画像形成装置の操作パネルにＱＲコードが表示された状態の平面図である。
【図５】この発明の一実施形態に係る動作を示すフローチャートである。
【図６】この発明の他の実施形態に係る動作を示すフローチャートである。
【図７】この発明のさらに他の実施形態に係る動作を示すフローチャートである。
【符号の説明】
【００９８】
１        画像形成装置
２        携帯端末
４        ＱＲコード
１０１    スキャナ部
１０２    プリンタ部（出力手段）
１０４    操作パネル
１０４ｂ  表示部（出力手段）
１０５    制御部
１０６    記憶部
１０７    ネットワークインターフェイス部
１０８    赤外線通信部
１０９    認証部
１１０    データ変換部
１１１    データ解析部
１１２    ＱＲコードリーダ
２１      撮影部
２３      記憶部
２５      データ生成・変換部
２６      制御部
２７      表示部（出力手段）
２８      データ解析部
２９      赤外線通信部（出力手段）
【図１】
2007036404.tif 000003
【図２】
2007036404.tif 000004
【図３】
2007036404.tif 000005
【図４】
2007036404.tif 000006
【図５】
2007036404.tif 000007
【図６】
2007036404.tif 000008
【図７】
2007036404.tif 000009